(57)【要約】ユーザが、一又は複数の工程において発生する種々の収支に関する情報を簡易且つ正確に把握し得るシステムを提供する。収支管理システムはサーバ１００により構成され、また、ＤＢ（情報管理手段）１１０と、情報取得手段１２０と、情報更新手段１３０と、情報提供手段１４０とを備えている。ＤＢ１１０は収支科目の残高に関する情報と、工程ごとにどの工程科目に関する収支額がどの収支科目の残高に反映されるかという対応関係とに関する情報を管理する。情報取得手段１２０は各工程に対応する第１端末から工程科目及び該工程科目に対応する収支額に関する情報を取得する。情報更新手段１３０は、ＤＢ１１０により管理されている対応関係に関する情報と、情報取得手段１２０により取得された工程科目及び収支額に関する情報とに基づき、工程科目に対応する収支科目の残高に関する情報を更新する。情報提供手段１４０はＤＢ１１０により管理されている一又は複数の工程に関する収支科目及び残高に関する情報を第２端末２０に提供する。
2003102833.tif 000002
【特許請求の範囲】
【請求項１】
複数の工程において発生する収支を管理するシステムであって、
収支科目の残高に関する情報と、工程ごとにどの工程科目に関する収支額がどの収支科目の残高に反映されるかという対応関係とに関する情報を管理する情報管理手段と、
各工程に対応する第１端末から工程科目及び該工程科目に対応する収支額に関する情報を取得する情報取得手段と、
情報管理手段により管理されている対応関係に関する情報と、情報取得手段により取得された工程科目及び収支額に関する情報とに基づき、該工程科目に対応する収支科目の残高に関する情報を更新する情報更新手段と、
情報管理手段により管理されている一又は複数の工程に関する収支科目及び残高に関する情報を第２端末に提供する情報提供手段とを備えていることを特徴とする収支管理システム。
【請求項２】
ユーザの意思に応じた前記対応関係に関する情報の設定を可能とする第１手段を備えていることを特徴とする請求項１記載の収支管理システム。
【請求項３】
第１手段が、第３端末に対して前記対応関係に関する情報の設定操作機能を付与するプログラムを提供することを特徴とする請求項２記載の収支管理システム。
【請求項４】
ユーザの意思に応じた収支科目の残高に関する情報の表示パターンの選択と、該選択パターンに応じた該情報の表示とを可能とする第２手段を備えていることを特徴とする請求項１記載の収支管理システム。
【請求項５】
第２手段が、第２端末に対して収支科目の残高に関する情報の表示パターンの選択操作機能と、該選択操作を通じて選択されたパターンに従った収支科目の残高に関する情報の表示機能とを付与するプログラムを提供することを特徴とする請求項４記載の収支管理システム。
【発明の詳細な説明】
技術分野
本発明は、複数の工程において発生する収支を管理するシステムに関する。
背景技術
一般的に一の製品の製造・出荷には複数の工程が含まれている。例えば、自動車の製造には、エンジン組立、車体の溶接、車体の塗装、車体へのエンジン等の複数の部品の取付、完成車検査等の複数の工程が含まれている。
各工程では、機器の購入に際して貨幣残高の減少（支出）及び物財残高の増加（収入）が発生し、機器の購入額にも高低がある等、種々のタイプ、種々の変動額の支出及び収入が発生する。
しかし、製品の複雑化に伴い、工程数が膨大になり、また、各工程も複雑化するため、各工程で発生する支出及び収入のタイプや変動額のパターンが過多となり、ときとして複数の工程における収支が錯綜する等、ユーザにとって当該収支状態の把握が困難である。
そこで、本発明は、ユーザが、一又は複数の工程において発生する種々の収支に関する情報を簡易且つ正確に把握し得るシステムを提供することを解決課題とする。
発明の開示
前記課題を解決するための本発明の収支管理システムは、収支科目の残高に関する情報と、工程ごとにどの工程科目に関する収支額がどの収支科目の残高に反映されるかという対応関係とに関する情報を管理する情報管理手段と、各工程に対応する第１端末から工程科目及び該工程科目に対応する収支額に関する情報を取得する情報取得手段と、情報管理手段により管理されている対応関係に関する情報と、情報取得手段により取得された工程科目及び収支額に関する情報とに基づき、該工程科目に対応する収支科目の残高に関する情報を更新する情報更新手段と、情報管理手段により管理されている一又は複数の工程に関する収支科目及び残高に関する情報を第２端末に提供する情報提供手段とを備えていることを特徴とする。
本発明によれば、各収支科目の残高が工程ごとに対応付けられて情報管理手段により管理されているので、複数の工程における収支が錯綜する等の事態が防止され得る。従って、各工程で発生する支出及び収入のタイプや変動額のパターンが過多となった場合でも、ユーザが第２端末を通じて一又は複数の工程における種々の収支に関する情報を簡易且つ正確に把握することができる。
また、本発明の収支管理システムは、ユーザの意思に応じた前記対応関係に関する情報の設定を可能とする第１手段を備えていることを特徴とする。
さらに本発明の収支管理システムは、第１手段が、第３端末に対して前記対応関係に関する情報の設定操作機能を付与するプログラムを提供することを特徴とする。
本発明によれば、一般に工程が相違すれば工程科目も相違し、どの工程科目に関する収支額がどの収支科目の残高に反映されるかという対応関係も工程ごとに相違するという事情に鑑み、ユーザがその意思に従って対応関係に関する情報を設定することができる。従って、各工程における諸事情に応じて柔軟に収支科目の残高を管理することができる。
また、本発明の収支管理システムは、ユーザの意思に応じた収支科目の残高に関する情報の表示パターンの選択と、該選択パターンに応じた該情報の表示とを可能とする第２手段を備えていることを特徴とする。
さらに本発明の収支管理システムは、第２手段が、第２端末に対して収支科目の残高に関する情報の表示パターンの選択操作機能と、該選択操作を通じて選択されたパターンに従った収支科目の残高に関する情報の表示機能とを付与するプログラムを提供することを特徴とする。
本発明によれば、ユーザがその意思に従って収支科目の残高の表示パターンを選択し、当該選択された表示パターンに従って表示される収支科目の残高に関する情報を把握することができる。かかる表示パターンの選択可能化により、ユーザの視覚を通じた一又は複数の工程について各収支科目の残高の把握の便宜を図ることができる。
発明を実施するための最良の形態
本発明の収支管理システムの実施形態について添付図面を用いて説明する。
本実施形態の収支管理システムは、図１に示す複数工程ｐ１、ｐ２、‥、ｐｎを含む自動車等の製造ラインに適用される。
また、本システムは、図３（ａ）に示すように各工程ｐｊ（ｊ＝１、２、‥、ｎ）について各収支科目ｂｋ（ｋ＝１、２、‥、ｍ）の残高が「ｑｊｋ」であることや、残高が「ｑｊｋ」から「ｑｊｋ’」に変化したこと（矢印参照）等を管理し得る。さらに本システムは、図３（ｂ）に示すように複数工程Σｐｊについて各収支科目ｂｋの残高総計が「Σｑｊｋ」であることや、当該残高総計が「Σｑｊｋ」から「Σｑｊｋ’」に変化したこと（矢印参照）等を管理し得る。
図１に示すように本システムは各工程ｐｊの現場に設けられた複数の第１端末１０に加え、第２端末２０及び第３端末３０とインターネットやＬＡＮ等のネットワークを介して通信可能に接続されたサーバ１００により構成されている。
さらに本システムは、ＤＢ（データベース／情報管理手段）１１０と、情報取得手段１２０と、情報更新手段１３０と、情報提供手段１４０と、第１手段１５０と、第２手段１６０とを備えている。
ＤＢ１１０は工程ｐｊごとに、収支科目の残高や後述する対応関係に関する情報等の諸情報をデータとして管理し、さらにはネットワークを介して外部に提供されるプログラムを管理する。
情報取得手段１２０は第１端末１０からネットワークを介して工程科目及び収支額に関する情報を取得する等、外部から諸データを取得する。
情報更新手段１３０は、ＤＢ１１０により管理されている対応関係に関する情報と、データ取得手段１２０により取得された工程科目及び収支額に関する情報とに基づき、ＤＢ１１０により管理されている当該収支科目の残高に関する情報を更新する。
情報提供手段１４０はＤＢ１１０により管理されている収支科目や残高に関する情報等の諸情報をネットワークを介して第２端末１１０に提供する。
第１手段１５０は第３端末３０に対して対応関係に関する情報の設定操作機能を付与するプログラムを提供し、第３端末３０におけるユーザの意思に応じた対応関係に関する情報の設定を可能とする。
第２手段１６０は第２端末２０に対して収支科目の残高に関する情報の表示パターンの選択操作機能と、該選択操作を通じて選択されたパターンに従った収支科目の残高に関する情報の表示機能とを付与するプログラムを提供し、第２端末２０におけるユーザの意思に応じた収支科目の残高に関する情報の表示パターンの選択と、該選択パターンに応じた該情報の表示とを可能とする。
また、各端末１０〜３０はＨＤＤ（記憶装置）及びＣＰＵ（演算処理装置）、さらには適宜モニタ（画像表示手段）、キーボードやマウス（入力装置）等を備えている（図示略）。
前記構成の収支管理システムの機能について図２〜図４を用いて説明する。
なお「サーバ１００にアップロードされる」とは、情報取得手段１２０により情報がデータとしてネットワークを介して外部から取得されることを意味する。また「サーバ１００からダウンロードされる」とは、情報提供手段１４０、第１手段１５０又は第２手段１６０により諸情報がデータとして又はプログラムがネットワークを介して外部に提供されることを意味する。
また、主要なデータ等のやり取りについてのみ説明するが、通信プロトコル等に応じた諸データ等がサーバ１００及び各端末１０〜３０の間でやり取りされてもよい。
まず、ユーザが第３端末３０をサーバ１００にログインさせると、サーバ１０から第３端末３０にプログラムがダウンロードされる。このプログラムのダウンロードにより、第３端末３０のモニタにはウィンドウ（図示略）が表示される。また、ユーザはこのウィンドウの設定入力欄に従い、入力装置の操作を通じて各工程ｐｊについて「工程科目ｘが条件ｃｋを満たす場合（以下、便宜的に「ｘ⊆ｃｋ（ｘ）」と記す。）、工程科目ｘに関する収支額は収支科目ｂｋの残高に反映される」という対応関係を設定入力し得るようになる。なお、第３端末３０にインストール又はダウンロード済みのプログラムを起動させ得るトリガデータがダウンロードされることで、第３端末３０のモニタに当該ウィンドウが表示されてもよい。
第３端末３０において当該対応関係がユーザの操作に応じて設定入力されると（図２ｓ１）、設定入力された対応関係に関する情報が第３端末３０からサーバ１００にアップロードされた上で（図２矢印▲１▼）、ＤＢ１１０により管理される（図２ｓ２）。
続いて、各工程ｐｊについて第１端末１０において工程科目ｘｊ及び工程科目ｘｊに対応する収支額Δｑｊに関する情報が読み取られ（図２ｓ３）、第１端末１０からサーバ１００にアップロードされる（図２矢印▲２▼）。
なお、工程科目ｘｊ及び収支額Δｑｊに関する情報のうち少なくとも一方が、製造中の製品や部品、製造器具等に予めバーコードの形で付され、このバーコードを通じて第１端末１０により読み取られてもよい。また、工程科目ｘｊ及び収支額Δｑｊに関する情報のうち少なくとも一方が、ユーザによる入力装置の操作を通じて第１端末１０に入力されてもよい。さらに、収支額Δｑｊに関する情報が例えば部品の個数に依存する場合、当該部品の単価がＤＢ１１０により管理されていることを条件に、部品の個数情報により特定されてもよい。
サーバ１００にアップロードされた工程科目ｘｊ及び収支額Δｑｊに関する情報に応じ、情報更新手段１３０によりｘｊ⊆ｃｋ（ｘｊ）を満たす収支科目ｂｋが判定される（図２ｓ４）。また、各工程ｐｊについて収支科目ｂｋの残高ｑｊｋに関する情報が、収支額Δｑｊに関する情報応じて残高ｑｊｋ（＝ｑｊｋ＋Δｑｊ）に関する情報に更新される（図２ｓ５）。
次に、ユーザが第２端末２０をサーバ１００にログインさせると、サーバ１００から第２端末２０にプログラムがダウンロードされる。このプログラムのダウンロードにより、第２端末２０のモニタにウィンドウ（図示略）が表示される。また、ユーザはこのウィンドウの設定入力欄に従い、入力装置の操作を通じて収支科目の残高の表示パターンに関する情報を設定入力し得るようになる。
第２端末２０においてユーザの操作に応じて表示パターンに関する情報が設定入力されると（図２ｓ６）、設定入力された表示パターンに関する情報が第２端末２０からサーバ１００にアップロードされる（図２矢印▲３▼）。
サーバ１００にアップロードされた表示パターンに関する情報に応じ、情報更新手段１３０がＤＢ１１０により管理されている情報を加工する（図２ｓ７）。また、サーバ１００から第２端末２０に対して当該加工情報がダウンロードされ（図２矢印▲４▼）、第２端末２０のモニタには表示パターンに応じた各収支科目ｂｋの残高Δｑｊｋに関する情報が表示される（図３（ａ）及び３（ｂ）参照）。
なお、サーバ１００からＤＢ１１０により管理されている諸情報が未加工のまま第２端末２０にダウンロードされ、第２端末２０において表示パターンに応じた情報加工が実施されてもよい。
「表示パターン」としては、一の工程ｐｊの各収支科目ｂｋの残高ｑｊｋを表示するパターン、若しくはその変動Δｑｊを表示するパターン（図３（ａ）参照）、複数の工程Σｐｊの各収支科目ｂｋの残高総計Σｊｑｊｋを表示するパターン、若しくはその変動ΣｊΔｑｊを表示するパターン（図３（ｂ）参照）、いくつかの収支科目ｂｋをカテゴライズした上で、カテゴライズ別の残高総計を表示するパターン、工程科目ｘｊの別に応じた収支科目ｂｋの残高ｑｊｋ若しくは残高総計Σｊｑｊｋを表示するパターン、又はこれらの組合せ表示パターン等の種々の表示パターンが可能とされている。
本システムによれば、各収支科目ｂｋの残高ｑｊｋに関する情報が工程ｐｊごとに対応付けられてＤＢ１１０により管理されているので、複数の工程ｐｊにおける収支に関する情報が錯綜する等の事態が防止され得る。従って、各工程ｐｊで発生する支出及び収入のタイプや変動額Δｑのパターンが過多となった場合でも、ユーザが第２端末２０を通じて一又は複数の工程ｘにおける種々の収支ｑを簡易且つ正確に把握することができる（図３（ａ）及び３（ｂ）参照）。
また、一般に工程ｐｊが相違すれば工程科目ｘｊも相違し、どの工程科目ｘｊに関する収支額Δｑｊがどの収支科目ｂｋの残高ｑｊｋに反映されるかという対応関係も工程ごとに相違するという事情に鑑み、ユーザが第３端末３０においてこの対応関係に関する情報を設定することができる（図２ｓ１参照）。従って、各工程ｐｊにおける諸事情に応じて柔軟に収支科目ｂｋの残高ｑｊｋを管理することができる。
さらに、工程ｐｊによっては工程科目ｘｊごとに収支科目ｂｋの残高ｑｊｋを把握することが重要となる場合もあるという事情に鑑み、ユーザが第２端末２０を通じて一又は複数の工程について「工程科目ごとに」各収支科目の残高を把握することができる。
また、ユーザが第２端末２０を通じて収支科目ｂｋの残高ｑｊｋに関する情報の表示パターンを選択し（図２ｓ６参照）、当該選択された表示パターンに従って表示される収支科目ｂｊの残高ｑｊｋ等に関する情報を把握することができる（図３（ａ）及び３（ｂ）参照）。かかる表示パターンの選択可能化により、ユーザの視覚を通じた一又は複数の工程ｐｊについて各収支科目ｂｋの残高ｑｊｋ等のの把握の便宜を図ることができる。
なお、収支科目ｂ１、ｂ２、‥、ｂｍが「貨幣」、「債権」、「物財」、「債務」、「資本」及び「期間利益」である場合、第２端末２０のモニタに図４（ａ）に示す「残高勘定表」が表示されてもよい。また、収支科目ｂ１、ｂ２、‥、ｂｍが「費用」、「期間利益」及び「収益」である場合、第２端末２０のモニタに図４（ｂ）に示す「損益勘定表」が表示されてもよい。
本実施形態では収支管理システムを構成するサーバ１００が第１端末１０、第２端末２０及び第３端末３０と別個に設けられていたが、他の実施形態としてサーバ１００が第１端末１０、第２端末２０又は第３端末３０と一体的に構成されてもよい。
具体的には、サーバ１００が第２端末２０とともに一の端末（図示略）として構成された場合、この端末におけるユーザによる操作に応じた表示パターンデータ（図２矢印▲３▼参照）がネットワークを介さずにこの端末のＨＤＤ及びＣＰＵにより処理され、モニタにこの表示パターンに応じた収支科目ｂｋの残高ｑｊｋ等が表示されてもよい。また、第１端末１０からこの端末に対して工程科目データ等がネットワークを介してダウンロードされるようにされてもよい（図２矢印▲２▼参照）。
本実施形態では第１端末１０、第２端末２０及び第３端末３０が別個に設けられていたが、他の実施形態として一の端末（図示略）がこれら３つの端末のうち複数の端末として機能してもよい。
具体的には、第１端末１０及び第２端末２０が一の端末（図示略）として構成され、この端末において「工程科目ｘｊ」及び「収支額Δｑｊ」が読み取られ又は入力され得るとともに（図２ｓ３参照）、一又は複数の工程ｐｊについて収支科目ｂｋごとの残高ｑｊｋに関する情報を把握し得るようにされてもよい（図３参照）。また、第１端末１０及び第３端末３０が一の端末（図示略）として構成され、この端末において工程科目ｘｊ及び収支額Δｑｊに関する情報が読み取られ又は入力され得るとともに（図２ｓ３参照）、対応関係に関する情報を設定し得るようにされてもよい（図２ｓ１参照）。さらに、第２端末２０及び第３端末３０が一の端末（図示略）として構成され、ユーザがこの端末を通じて一又は複数の工程ｐｊについて収支科目ｂｋごとの残高ｑｊｋに関する情報を把握し得るようにされるとともに（図３参照）、対応関係に関する情報を設定し得るようにされてもよい（図２ｓ１参照）。
本実施形態では収支管理システムが一のサーバ１００により構成されていたが、他の実施形態として収支管理システムが複数のサーバ（図示略）により構成されてもよい。また、ＤＢ１１０が少なくともその一部が一又は複数のＤＢＭＳ（データベース管理システム）により構成されていてもよい。
【図面の簡単な説明】
図１は本実施形態の収支管理システムの構成説明図であり、図２〜図４は本実施形態の収支管理システムの機能説明図である。
【図１】
2003102833.tif 000003
【図２】
2003102833.tif 000004
2003102833.tif 000005
2003102833.tif 000006
【手続補正書】
【提出日】平成16年2月19日(2004.2.19)
【手続補正００１】
【補正対象書類名】特許請求の範囲
【補正対象項目名】全文
【補正方法】変更
【補正の内容】
【特許請求の範囲】
【請求項１】
複数の工程において発生する収支を管理するシステムであって、
収支科目の残高に関する情報と、工程ごとにどの工程科目に関する収支額がどの収支科目の残高に反映されるかという対応関係とに関する情報を管理する情報管理手段と、
各工程に対応する第１端末から工程科目及び該工程科目に対応する収支額に関する情報を取得する情報取得手段と、
情報管理手段により管理されている対応関係に関する情報と、情報取得手段により取得された工程科目及び収支額に関する情報とに基づき、該工程科目に対応する収支科目の残高に関する情報を更新する情報更新手段と、
情報管理手段により管理されている一又は複数の工程に関する収支科目及び残高に関する情報を第２端末に提供する情報提供手段と、
ユーザの意思に応じた前記対応関係に関する情報の設定を可能とする第１手段とを備えていることを特徴とする収支管理システム。
【請求項２】
（削除）
【請求項３】
第１手段が、第３端末に対して前記対応関係に関する情報の設定操作機能を付与するプログラムを提供することを特徴とする請求項１記載の収支管理システム。
【請求項４】
ユーザの意思に応じた収支科目の残高に関する情報の表示パターンの選択と、該選択パターンに応じた該情報の表示とを可能とする第２手段を備えていることを特徴とする請求項１記載の収支管理システム。
【請求項５】
第２手段が、第２端末に対して収支科目の残高に関する情報の表示パターンの選択操作機能と、該選択操作を通じて選択されたパターンに
【手続補正００２】
【補正対象書類名】明細書
【補正対象項目名】０００２
【補正方法】変更
【補正の内容】
【０００２】
残高に関する情報と、工程ごとにどの工程科目に関する収支額がどの収支科目の残高に反映されるかという対応関係とに関する情報を管理する情報管理手段と、各工程に対応する第１端末から工程科目及び該工程科目に対応する収支額に関する情報を取得する情報取得手段と、情報管理手段により管理されている対応関係に関する情報と、情報取得手段により取得された工程科目及び収支額に関する情報とに基づき、該工程科目に対応する収支科目の残高に関する情報を更新する情報更新手段と、情報管理手段により管理されている一又は複数の工程に関する収支科目及び残高に関する情報を第２端末に提供する情報提供手段と、ユーザの意思に応じた前記対応関係に関する情報の設定を可能とする第１手段とを備えていることを特徴とする。
本発明によれば、各収支科目の残高が工程ごとに対応付けられて情報管理手段により管理されているので、複数の工程における収支が錯綜する等の事態が防止され得る。従って、各工程で発生する支出及び収入のタイプや変動額のパターンが過多となった場合でも、ユーザが第２端末を通じて一又は複数の工程における種々の収支に関する情報を簡易且つ正確に把握することができる。
また、一般に工程が相違すれば工程科目も相違し、どの工程科目に関する収支額がどの収支科目の残高に反映されるかという対応関係も工程ごとに相違するという事情に鑑み、ユーザがその意思に従って対応関係に関する情報を設定することができる。従って、各工程における諸事情に応じて柔軟に収支科目の残高を管理することができる。
さらに本発明の収支管理システムは、第１手段が、第３端末に対して前記対応関係に関する情報の設定操作機能を付与するプログラムを提供することを特徴とする。


【手続補正００３】
【補正対象書類名】明細書
【補正対象項目名】０００３
【補正方法】変更
【補正の内容】
【０００３】
また、本発明の収支管理システムは、ユーザの意思に応じた収支科目の残高に関する情報の表示パターンの選択と、該選択パターンに応じた該情報の表示とを可能とする第２手段を備えていることを特徴とする。
さらに本発明の収支管理システムは、第２手段が、第２端末に対して収支科目の残高に関する情報の表示パターンの選択操作機能と、該選択操作を通じて選択されたパターンに従った収支科目の残高に関する情報の表示機能とを付与するプログラムを提供することを特徴とする。
本発明によれば、ユーザがその意思に従って収支科目の残高の表示パターンを選択し、当該選択された表示パターンに従って表示される収支科目の残高に関する情報を把握することができる。かかる表示パターンの選択可能化により、ユーザの視覚を通じた一又は複数の工程について各収支科目の残高の把握の便宜を図ることができる。
図面の簡単な説明
図１は本実施形態の収支管理システムの構成説明図であり、図２〜図４は本実施形態の収支管理ジステムの機能説明図である。
発明を実施するための最良の形態
本発明の収支管理システムの実施形態について添付図面を用いて説明する。
本実施形態の収支管理システムは、図１に示す複数工程ｐ１、ｐ２、‥、ｐｎを含む自動車等の製造ラインに適用される。
また、本システムは、図３（ａ）に示すように各工程ｐｊ（ｊ＝１、２、‥、ｎ）について各収支科目ｂｋ（ｋ＝１、２、‥、ｍ）の残高が「ｑｊｋ」であることや、残高が「ｑｊｋ」から「ｑｊｋ’」に変化したこ




【手続補正書】
【提出日】平成16年12月14日(2004.12.14)
【手続補正１】
【補正対象書類名】明細書
【補正対象項目名】全文
【補正方法】変更
【補正の内容】
【書類名】  明細書
【特許請求の範囲】
【請求項１】複数の工程において発生する収支を管理するシステムであって、
収支科目の残高に関する情報と、工程ごとにどの工程科目に関する収支額がどの収支科目の残高に反映されるかという対応関係とに関する情報を管理する情報管理手段と、
各工程に対応する第１端末から工程科目及び該工程科目に対応する収支額に関する情報を取得する情報取得手段と、
情報管理手段により管理されている対応関係に関する情報と、情報取得手段により取得された工程科目及び収支額に関する情報とに基づき、該工程科目に対応する収支科目の残高に関する情報を更新する情報更新手段と、
情報管理手段により管理されている一又は複数の工程に関する収支科目及び残高に関する情報を第２端末に提供する情報提供手段と、
ユーザの意思に応じた前記対応関係に関する情報の設定を可能とする第１手段とを備えていることを特徴とする収支管理システム。
【請求項２】第１手段が、第３端末に対して前記対応関係に関する情報の設定操作機能を付与するプログラムを提供することを特徴とする請求項１記載の収支管理システム。
【請求項３】ユーザの意思に応じた収支科目の残高に関する情報の表示パターンの選択と、該選択パターンに応じた該情報の表示とを可能とする第２手段を備えていることを特徴とする請求項１記載の収支管理システム。
【請求項４】第２手段が、第２端末に対して収支科目の残高に関する情報の表示パターンの選択操作機能と、該選択操作を通じて選択されたパターンに従った収支科目の残高に関する情報の表示機能とを付与するプログラムを提供することを特徴とする請求項３記載の収支管理システム。
【発明の詳細な説明】
【０００１】
【発明の属する技術分野】
本発明は、複数の工程において発生する収支を管理するシステムに関する。
【０００２】
【従来の技術】
一般的に一の製品の製造・出荷には複数の工程が含まれている。例えば、自動車の製造には、エンジン組立、車体の溶接、車体の塗装、車体へのエンジン等の複数の部品の取付、完成車検査等の複数の工程が含まれている。
【０００３】
各工程では、機器の購入に際して貨幣残高の減少（支出）及び物財残高の増加（収入）が発生し、機器の購入額にも高低がある等、種々のタイプ、種々の変動額の支出及び収入が発生する。
【０００４】
【発明が解決しようとする課題】
しかし、製品の複雑化に伴い、工程数が膨大になり、また、各工程も複雑化するため、各工程で発生する支出及び収入のタイプや変動額のパターンが過多となり、ときとして複数の工程における収支が錯綜する等、ユーザにとって当該収支状態の把握が困難である。
【０００５】
そこで、本発明は、ユーザが、一又は複数の工程において発生する種々の収支に関する情報を簡易且つ正確に把握し得るシステムを提供することを解決課題とする。
【０００６】
【課題を解決するための手段】
前記課題を解決するための本発明の収支管理システムは、収支科目の残高に関する情報と、工程ごとにどの工程科目に関する収支額がどの収支科目の残高に反映されるかという対応関係とに関する情報を管理する情報管理手段と、各工程に対応する第１端末から工程科目及び該工程科目に対応する収支額に関する情報を取得する情報取得手段と、情報管理手段により管理されている対応関係に関する情報と、情報取得手段により取得された工程科目及び収支額に関する情報とに基づき、該工程科目に対応する収支科目の残高に関する情報を更新する情報更新手段と、情報管理手段により管理されている一又は複数の工程に関する収支科目及び残高に関する情報を第２端末に提供する情報提供手段と、ユーザの意思に応じた前記対応関係に関する情報の設定を可能とする第１手段とを備えていることを特徴とする。
【０００７】
本発明によれば、各収支科目の残高が工程ごとに対応付けられて情報管理手段により管理されているので、複数の工程における収支が錯綜する等の事態が防止され得る。従って、各工程で発生する支出及び収入のタイプや変動額のパターンが過多となった場合でも、ユーザが第２端末を通じて一又は複数の工程における種々の収支に関する情報を簡易且つ正確に把握することができる。
【０００８】
また、一般に工程が相違すれば工程科目も相違し、どの工程科目に関する収支額がどの収支科目の残高に反映されるかという対応関係も工程ごとに相違するという事情に鑑み、ユーザがその意思に従って対応関係に関する情報を設定することができる。従って、各工程における諸事情に応じて柔軟に収支科目の残高を管理することができる。
【０００９】
さらに本発明の収支管理システムは、第１手段が、第３端末に対して前記対応関係に関する情報の設定操作機能を付与するプログラムを提供することを特徴とする。
【００１０】
また、本発明の収支管理システムは、ユーザの意思に応じた収支科目の残高に関する情報の表示パターンの選択と、該選択パターンに応じた該情報の表示とを可能とする第２手段を備えていることを特徴とする。
【００１１】
さらに本発明の収支管理システムは、第２手段が、第２端末に対して収支科目の残高に関する情報の表示パターンの選択操作機能と、該選択操作を通じて選択されたパターンに従った収支科目の残高に関する情報の表示機能とを付与するプログラムを提供することを特徴とする。
【００１２】
本発明によれば、ユーザがその意思に従って収支科目の残高の表示パターンを選択し、当該選択された表示パターンに従って表示される収支科目の残高に関する情報を把握することができる。かかる表示パターンの選択可能化により、ユーザの視覚を通じた一又は複数の工程について各収支科目の残高の把握の便宜を図ることができる。
【００１３】
【発明の実施の形態】
本発明の収支管理システムの実施形態について添付図面を用いて説明する。
【００１４】
図１は本実施形態の収支管理システムの構成説明図であり、図２〜図４は本実施形態の収支管理システムの機能説明図である。
【００１５】
本実施形態の収支管理システムは、図１に示す複数工程ｐ1 、ｐ2 、‥、ｐn を含む自動車等の製造ラインに適用される。
【００１６】
また、本システムは、図３（ａ）に示すように各工程ｐj （ｊ＝１、２、‥、ｎ）について各収支科目ｂk （ｋ＝１、２、‥、ｍ）の残高が「ｑjk」であることや、残高が「ｑjk」から「ｑjk’」に変化したこと（矢印参照）等を管理し得る。さらに本システムは、図３（ｂ）に示すように複数工程Σｐj について各収支科目ｂk の残高総計が「Σｑjk」であることや、当該残高総計が「Σｑjk」から「Σｑjk’」に変化したこと（矢印参照）等を管理し得る。
【００１７】
図１に示すように本システムは各工程ｐj の現場に設けられた複数の第１端末１０に加え、第２端末２０及び第３端末３０とインターネットやＬＡＮ等のネットワークを介して通信可能に接続されたサーバ１００により構成されている。
【００１８】
さらに本システムは、ＤＢ（データベース／情報管理手段）１１０と、情報取得手段１２０と、情報更新手段１３０と、情報提供手段１４０と、第１手段１５０と、第２手段１６０とを備えている。
【００１９】
ＤＢ１１０は工程ｐj ごとに、収支科目の残高や後述する対応関係に関する情報等の諸情報をデータとして管理し、さらにはネットワークを介して外部に提供されるプログラムを管理する。
【００２０】
情報取得手段１２０は第１端末１０からネットワークを介して工程科目及び収支額に関する情報を取得する等、外部から諸データを取得する。
【００２１】
情報更新手段１３０は、ＤＢ１１０により管理されている対応関係に関する情報と、データ取得手段１２０により取得された工程科目及び収支額に関する情報とに基づき、ＤＢ１１０により管理されている当該収支科目の残高に関する情報を更新する。
【００２２】
情報提供手段１４０はＤＢ１１０により管理されている収支科目や残高に関する情報等の諸情報をネットワークを介して第２端末１１０に提供する。
【００２３】
第１手段１５０は第３端末３０に対して対応関係に関する情報の設定操作機能を付与するプログラムを提供し、第３端末３０におけるユーザの意思に応じた対応関係に関する情報の設定を可能とする。
【００２４】
第２手段１６０は第２端末２０に対して収支科目の残高に関する情報の表示パターンの選択操作機能と、該選択操作を通じて選択されたパターンに従った収支科目の残高に関する情報の表示機能とを付与するプログラムを提供し、第２端末２０におけるユーザの意思に応じた収支科目の残高に関する情報の表示パターンの選択と、該選択パターンに応じた該情報の表示とを可能とする。
【００２５】
また、各端末１０〜３０はＨＤＤ（記憶装置）及びＣＰＵ（演算処理装置）、さらには適宜モニタ（画像表示手段）、キーボードやマウス（入力装置）等を備えている（図示略）。
【００２６】
前記構成の収支管理システムの機能について図２〜図４を用いて説明する。
【００２７】
なお「サーバ１００にアップロードされる」とは、情報取得手段１２０により情報がデータとしてネットワークを介して外部から取得されることを意味する。また「サーバ１００からダウンロードされる」とは、情報提供手段１４０、第１手段１５０又は第２手段１６０により諸情報がデータとして又はプログラムがネットワークを介して外部に提供されることを意味する。
【００２８】
また、主要なデータ等のやり取りについてのみ説明するが、通信プロトコル等に応じた諸データ等がサーバ１００及び各端末１０〜３０の間でやり取りされてもよい。
【００２９】
まず、ユーザが第３端末３０をサーバ１００にログインさせると、サーバ１０から第３端末３０にプログラムがダウンロードされる。このプログラムのダウンロードにより、第３端末３０のモニタにはウィンドウ（図示略）が表示される。また、ユーザはこのウィンドウの設定入力欄に従い、入力装置の操作を通じて各工程ｐj について「工程科目ｘが条件ｃk を満たす場合（以下、便宜的に「ｘ⊆ｃk （ｘ）」と記す。）、工程科目ｘに関する収支額は収支科目ｂk の残高に反映される」という対応関係を設定入力し得るようになる。なお、第３端末３０にインストール又はダウンロード済みのプログラムを起動させ得るトリガデータがダウンロードされることで、第３端末３０のモニタに当該ウィンドウが表示されてもよい。
【００３０】
第３端末３０において当該対応関係がユーザの操作に応じて設定入力されると（図２ｓ１）、設定入力された対応関係に関する情報が第３端末３０からサーバ１００にアップロードされた上で（図２矢印１）、ＤＢ１１０により管理される（図２ｓ２）。
【００３１】
続いて、各工程ｐj について第１端末１０において工程科目ｘj 及び工程科目ｘj に対応する収支額Δｑj に関する情報が読み取られ（図２ｓ３）、第１端末１０からサーバ１００にアップロードされる（図２矢印２）。
【００３２】
なお、工程科目ｘj 及び収支額Δｑj に関する情報のうち少なくとも一方が、製造中の製品や部品、製造器具等に予めバーコードの形で付され、このバーコードを通じて第１端末１０により読み取られてもよい。また、工程科目ｘj 及び収支額Δｑj に関する情報のうち少なくとも一方が、ユーザによる入力装置の操作を通じて第１端末１０に入力されてもよい。さらに、収支額Δｑj に関する情報が例えば部品の個数に依存する場合、当該部品の単価がＤＢ１１０により管理されていることを条件に、部品の個数情報により特定されてもよい。
【００３３】
サーバ１００にアップロードされた工程科目ｘj 及び収支額Δｑj に関する情報に応じ、情報更新手段１３０によりｘj ⊆ｃk （ｘj ）を満たす収支科目ｂk が判定される（図２ｓ４）。また、各工程ｐj について収支科目ｂk の残高ｑjkに関する情報が、収支額Δｑj に関する情報応じて残高ｑjk（＝ｑjk＋Δｑj ）に関する情報に更新される（図２ｓ５）。
【００３４】
次に、ユーザが第２端末２０をサーバ１００にログインさせると、サーバ１００から第２端末２０にプログラムがダウンロードされる。このプログラムのダウンロードにより、第２端末２０のモニタにウィンドウ（図示略）が表示される。また、ユーザはこのウィンドウの設定入力欄に従い、入力装置の操作を通じて収支科目の残高の表示パターンに関する情報を設定入力し得るようになる。
【００３５】
第２端末２０においてユーザの操作に応じて表示パターンに関する情報が設定入力されると（図２ｓ６）、設定入力された表示パターンに関する情報が第２端末２０からサーバ１００にアップロードされる（図２矢印３）。
【００３６】
サーバ１００にアップロードされた表示パターンに関する情報に応じ、情報更新手段１３０がＤＢ１１０により管理されている情報を加工する（図２ｓ７）。また、サーバ１００から第２端末２０に対して当該加工情報がダウンロードされ（図２矢印４）、第２端末２０のモニタには表示パターンに応じた各収支科目ｂk の残高ｑjkに関する情報が表示される（図３（ａ）及び３（ｂ）参照）。
【００３７】
なお、サーバ１００からＤＢ１１０により管理されている諸情報が未加工のまま第２端末２０にダウンロードされ、第２端末２０において表示パターンに応じた情報加工が実施されてもよい。
【００３８】
「表示パターン」としては、一の工程ｐj の各収支科目ｂk の残高ｑjkを表示するパターン、若しくはその変動Δｑj を表示するパターン（図３（ａ）参照）、複数の工程Σｐj の各収支科目ｂk の残高総計Σj ｑjkを表示するパターン、若しくはその変動Σj Δｑj を表示するパターン（図３（ｂ）参照）、いくつかの収支科目ｂk をカテゴライズした上で、カテゴライズ別の残高総計を表示するパターン、工程科目ｘj の別に応じた収支科目ｂk の残高ｑjk若しくは残高総計Σjｑjkを表示するパターン、又はこれらの組合せ表示パターン等の種々の表示パターンが可能とされている。
【００３９】
本システムによれば、各収支科目ｂk の残高ｑjkに関する情報が工程ｐj ごとに対応付けられてＤＢ１１０により管理されているので、複数の工程ｐj における収支に関する情報が錯綜する等の事態が防止され得る。従って、各工程ｐj で発生する支出及び収入のタイプや変動額Δｑのパターンが過多となった場合でも、ユーザが第２端末２０を通じて一又は複数の工程ｘにおける種々の収支ｑを簡易且つ正確に把握することができる（図３（ａ）及び３（ｂ）参照）。
【００４０】
また、一般に工程ｐj が相違すれば工程科目ｘj も相違し、どの工程科目ｘj に関する収支額Δｑj がどの収支科目ｂk の残高ｑjkに反映されるかという対応関係も工程ごとに相違するという事情に鑑み、ユーザが第３端末３０においてこの対応関係に関する情報を設定することができる（図２ｓ１参照）。従って、各工程ｐj における諸事情に応じて柔軟に収支科目ｂk の残高ｑjkを管理することができる。
【００４１】
さらに、工程ｐj によっては工程科目ｘj ごとに収支科目ｂk の残高ｑjkを把握することが重要となる場合もあるという事情に鑑み、ユーザが第２端末２０を通じて一又は複数の工程について「工程科目ごとに」各収支科目の残高を把握することができる。
【００４２】
また、ユーザが第２端末２０を通じて収支科目ｂk の残高ｑjkに関する情報の表示パターンを選択し（図２ｓ６参照）、当該選択された表示パターンに従って表示される収支科目ｂj の残高ｑjk等に関する情報を把握することができる（図３（ａ）及び３（ｂ）参照）。かかる表示パターンの選択可能化により、ユーザの視覚を通じた一又は複数の工程ｐj について各収支科目ｂk の残高ｑjk等のの把握の便宜を図ることができる。
【００４３】
なお、収支科目ｂ1 、ｂ2 、‥、ｂm が「貨幣」、「債権」、「物財」、「債務」、「資本」及び「期間利益」である場合、第２端末２０のモニタに図４（ａ）に示す「残高勘定表」が表示されてもよい。また、収支科目ｂ1 、ｂ2 、‥、ｂm が「費用」、「期間利益」及び「収益」である場合、第２端末２０のモニタに図４（ｂ）に示す「損益勘定表」が表示されてもよい。
【００４４】
本実施形態では収支管理システムを構成するサーバ１００が第１端末１０、第２端末２０及び第３端末３０と別個に設けられていたが、他の実施形態としてサーバ１００が第１端末１０、第２端末２０又は第３端末３０と一体的に構成されてもよい。
【００４５】
具体的には、サーバ１００が第２端末２０とともに一の端末（図示略）として構成された場合、この端末におけるユーザによる操作に応じた表示パターンデータ（図２矢印３参照）がネットワークを介さずにこの端末のＨＤＤ及びＣＰＵにより処理され、モニタにこの表示パターンに応じた収支科目ｂk の残高ｑjk等が表示されてもよい。また、第１端末１０からこの端末に対して工程科目データ等がネットワークを介してダウンロードされるようにされてもよい（図２矢印２参照）。
【００４６】
本実施形態では第１端末１０、第２端末２０及び第３端末３０が別個に設けられていたが、他の実施形態として一の端末（図示略）がこれら３つの端末のうち複数の端末として機能してもよい。
【００４７】
具体的には、第１端末１０及び第２端末２０が一の端末（図示略）として構成され、この端末において「工程科目ｘj 」及び「収支額Δｑj 」が読み取られ又は入力され得るとともに（図２ｓ３参照）、一又は複数の工程ｐj について収支科目ｂk ごとの残高ｑjkに関する情報を把握し得るようにされてもよい（図３参照）。また、第１端末１０及び第３端末３０が一の端末（図示略）として構成され、この端末において工程科目ｘj 及び収支額Δｑj に関する情報が読み取られ又は入力され得るとともに（図２ｓ３参照）、対応関係に関する情報を設定し得るようにされてもよい（図２ｓ１参照）。さらに、第２端末２０及び第３端末３０が一の端末（図示略）として構成され、ユーザがこの端末を通じて一又は複数の工程ｐj について収支科目ｂk ごとの残高ｑjkに関する情報を把握し得るようにされるとともに（図３参照）、対応関係に関する情報を設定し得るようにされてもよい（図２ｓ１参照）。
【００４８】
本実施形態では収支管理システムが一のサーバ１００により構成されていたが、他の実施形態として収支管理システムが複数のサーバ（図示略）により構成されてもよい。また、ＤＢ１１０が少なくともその一部が一又は複数のＤＢＭＳ（データベース管理システム）により構成されていてもよい。
【図面の簡単な説明】
【図１】本実施形態の収支管理システムの構成説明図
【図２】本実施形態の収支管理システムの機能説明図
【図３】本実施形態の収支管理システムの機能説明図
【図４】本実施形態の収支管理システムの機能説明図
【国際調査報告】
2003102833.tif 000007
2003102833.tif 000008